(57)【要約】【課題】大小２種類のカードの処理を可能にする。【解決手段】カード挿入口より挿入されたカード４を搬送するカード搬送路５と、カード搬送路５の幅方向一側を構成し、搬送基準面６を有する第１のガイド部材７と、カード挿入口３より挿入されたカード４が大きいサイズのカード４Ａの場合にカード搬送路５の幅方向他側を構成する第２のガイド部材８と、カード挿入口より挿入されたカード４が小さいサイズのカード４Ｂの場合にカード搬送路５の幅方向他側を構成する第３のガイド部材９とを備え、第３のガイド部材９はカード搬送路５に進出、および退避方向に移動可能に設けられている。【選択図】図１
2006252195.tif 000002
【特許請求の範囲】
【請求項１】
カード挿入口より挿入されたカードを搬送するカード搬送路と、該カード搬送路の幅方向一側を構成し、搬送基準面を有する第１のガイド部材と、前記カード挿入口より挿入されたカードが大きいサイズのカードの場合に前記カード搬送路の幅方向他側を構成する第２のガイド部材と、前記カード挿入口より挿入されたカードが小さいサイズのカードの場合に前記カード搬送路の幅方向他側を構成する第３のガイド部材とを備え、前記第３のガイド部材は前記カード搬送路に進出、および退避方向に移動可能に設けられていることを特徴とするカード搬送機構。
【請求項２】
カード挿入口より手動にてカードを挿入・引き抜くように構成された手動式のカード搬送機構において、前記カードを搬送する際、カード搬送路の幅方向一側を構成し、搬送基準面を有する第１のガイド部材と、前記カード挿入口より挿入されたカードが大きいサイズのカードの場合に前記カード搬送路の幅方向他側を構成する第２のガイド部材と、前記カード挿入口より挿入されたカードが小さいサイズのカードの場合に前記カード搬送路の幅方向他側を構成する第３のガイド部材とを備え、前記第３のガイド部材は前記カード搬送路に進出、および退避方向に移動可能に設けられていることを特徴とするカード搬送機構。
【請求項３】
前記第３のガイド部材が前記カード搬送路から退避することにより、前記第３のガイド部材の外形面が前記カード搬送路と面一となることを特徴とする請求項１または２記載のカード搬送機構。
【請求項４】
前記第３のガイド部材には、前記カードのカード停止位置となる度当たり部が形成されていることを特徴とする請求項１から３のいずれか１つに記載のカード搬送機構。
【発明の詳細な説明】
【技術分野】
【０００１】
本発明は、カード搬送機構に関する。更に詳しくは、本発明は、カード搬送路の幅方向一側を基準にしてカードを搬送するカード搬送機構に関する。
【背景技術】
【０００２】
例えばクレジットカードでは、近年、通常の大きさのクレジットカード（以下、通常カードという）に加えて、通常カードよりも小さいカード（以下、ミニカードという）の使用が開始された。従来、通常カードとミニカードの両方を処理することができるカードリーダはなかった。つまり、通常カード用のカードリーダにミニカードを挿入しても、走行路幅および長さが適切でないため、カードを正しく処理できない。このため、通常カードを処理するカードリーダとミニカードを処理するカードリーダとを併用していた。
【０００３】
なお、１種類のサイズのカードを処理する手動式カードリーダとして、例えば特開２００１−１６０１１６号公報に開示されたものがある。この手動式カードリーダを図７に示す。この手動式カードリーダのカード搬送機構では、一対のガイド部材１０１，１０２によってカード搬送路１０３を形成している。各ガイド部材１０１，１０２はカード１０４の幅とほぼ等しい間隔をあけて配置されている。一方のガイド部材１０１の内側面は搬送基準面１０５となっており、カード１０４をガイド部材１０１，１０２間に挿入することで、カード１０４を搬送基準面１０５に沿って搬送することができる。
【０００４】
【特許文献１】特開２００１−１６０１１６号
【発明の開示】
【発明が解決しようとする課題】
【０００５】
上述したように、通常カードとミニカードの両方を処理できるカードリーダは、手動式カードリーダと自動式カードリーダのいずれについても無かったので、通常カードとミニカードの両方を処理できるカードリーダの開発が要請されている。
【０００６】
本発明は、１台のカードリーダで通常カードとミニカードの両方の処理を可能にするカード搬送機構を提供することを目的とする。
【課題を解決するための手段】
【０００７】
上記目的を達成するために、請求項１記載のカード搬送機構は、カード挿入口より挿入されたカードを搬送するカード搬送路と、該カード搬送路の幅方向一側を構成し、搬送基準面を有する第１のガイド部材と、カード挿入口より挿入されたカードが大きいサイズのカードの場合にカード搬送路の幅方向他側を構成する第２のガイド部材と、カード挿入口より挿入されたカードが小さいサイズのカードの場合にカード搬送路の幅方向他側を構成する第３のガイド部材とを備え、第３のガイド部材はカード搬送路に進出、および退避方向に移動可能に設けられているものである。
【０００８】
したがって、第３のガイド部材をカード搬送路に進出させると、第１のガイド部材と第３のガイド部材によってカード搬送路が構成される。また、第３のガイド部材をカード搬送路から退避させると、第１のガイド部材と第２のガイド部材によってカード搬送路が構成される。第３のガイド部材は第１のガイド部材と第２のガイド部材の間に進出するので、カード搬送路の幅が狭くなる。即ち、第３のガイド部材をカード搬送路から退避させると大きなサイズのカードを搬送するカード搬送路となり、第３のガイド部材をカード搬送路に進出させると小さなサイズのカードを搬送するカード搬送路となる。
【０００９】
また、請求項２記載の発明は、カード挿入口より手動にてカードを挿入・引き抜くように構成された手動式のカード搬送機構において、カードを搬送する際、カード搬送路の幅方向一側を構成し、搬送基準面を有する第１のガイド部材と、カード挿入口より挿入されたカードが大きいサイズのカードの場合にカード搬送路の幅方向他側を構成する第２のガイド部材と、カード挿入口より挿入されたカードが小さいサイズのカードの場合にカード搬送路の幅方向他側を構成する第３のガイド部材とを備え、第３のガイド部材はカード搬送路に進出、および退避方向に移動可能に設けられているものである。
【００１０】
したがって、手動式のカード搬送機構において、第３のガイド部材をカード搬送路に進出させると、第１のガイド部材と第３のガイド部材によってカード搬送路が構成される。また、第３のガイド部材をカード搬送路から退避させると、第１のガイド部材と第２のガイド部材によってカード搬送路が構成される。第３のガイド部材は第１のガイド部材と第２のガイド部材の間に進出するので、カード搬送路の幅が狭くなる。即ち、第３のガイド部材をカード搬送路から退避させると大きなサイズのカードを搬送するカード搬送路となり、第３のガイド部材をカード搬送路に進出させると小さなサイズのカードを搬送するカード搬送路となる。
【００１１】
また、請求項３記載のカード搬送機構は、第３のガイド部材がカード搬送路から退避することにより、第３のガイド部材の外形面がカード搬送路と面一となるものである。したがって、退避させた第３のガイド部材がカードのガイドとして機能する。
【００１２】
さらに、請求項４記載のカード搬送機構は、第３のガイド部材には、カードのカード停止位置となる度当たり部が形成されているものである。したがって、小さなサイズのカードが奥に入りすぎるのを防止できる。
【発明の効果】
【００１３】
請求項１記載のカード搬送機構では、カード挿入口より挿入されたカードを搬送するカード搬送路と、該カード搬送路の幅方向一側を構成し、搬送基準面を有する第１のガイド部材と、カード挿入口より挿入されたカードが大きいサイズのカードの場合にカード搬送路の幅方向他側を構成する第２のガイド部材と、カード挿入口より挿入されたカードが小さいサイズのカードの場合にカード搬送路の幅方向他側を構成する第３のガイド部材とを備え、第３のガイド部材はカード搬送路に進出、および退避方向に移動可能に設けられているので、第３のガイド部材をカード搬送路から退避させることでカード搬送路を大きなサイズのカードを搬送するカード搬送路にすることができ、第３のガイド部材をカード搬送路に進出させることでカード搬送路を小さなサイズのカードを搬送するカード搬送路にすることができる。このため、１台のカード搬送機構で、大小２種類のカードを取り扱うことができる。即ち、ローラやベルト等の自動搬送機構を使用してカードを搬送させるタイプのカード搬送機構等であっても、大小２種類のカードを１台のカード搬送機構で取り扱うことができる。
【００１４】
ここで、カード待ち状態（初期設定）で第３のガイド部材をカード搬送路に進出させておき、大きなサイズのカードを使用する場合にのみ第３のガイド部材をカード搬送路から退避させるようにしても良い。このようにすることで、第３のガイド部材がカード搬送路から退避している状態で、即ちカード搬送路の幅が大きなサイズのカード用に設定されている状態で小さなサイズのカードを誤って取り込んでしまうのを防止することができる。つまり、カード待ち状態でカード搬送路の幅が大きなサイズのカード用に設定されていると、誤って小さなサイズのカードを挿入した場合にカードを正しく取り込むことができず、また、小さなサイズのカードが奥まで入り込んで取り出せなくなる虞がある。これに対し、カード待ち状態でカード搬送路の幅を小さなサイズのカード用に設定しておくことで、大きなサイズのカードを誤って挿入しようとしても挿入できないので、カード搬送路の幅と挿入カードとの不整合が発生することがなく、カードが取り出せなくなるような事態が生じるのを防止することができる。
【００１５】
また、請求項２記載の手動式のカード搬送機構では、カードを搬送する際、カード搬送路の幅方向一側を構成し、搬送基準面を有する第１のガイド部材と、カード挿入口より挿入されたカードが大きいサイズのカードの場合にカード搬送路の幅方向他側を構成する第２のガイド部材と、カード挿入口より挿入されたカードが小さいサイズのカードの場合にカード搬送路の幅方向他側を構成する第３のガイド部材とを備え、第３のガイド部材はカード搬送路に進出、および退避方向に移動可能に設けられているので、第３のガイド部材をカード搬送路から退避させることでカード搬送路を大きなサイズのカードを搬送するカード搬送路にすることができ、第３のガイド部材をカード搬送路に進出させることでカード搬送路を小さなサイズのカードを搬送するカード搬送路にすることができる。このため、１台のカード搬送機構で、大小２種類のカードを取り扱うことができる。即ち、カードを掴んだままの状態でカードを押し込み、そして引き抜く手動式のカード搬送機構であっても、大小２種類のカードを１台のカード搬送機構で取り扱うことができる。
【００１６】
ここで、カード待ち状態（初期設定）で第３のガイド部材をカード搬送路に進出させておき、大きなサイズのカードを使用する場合にのみ第３のガイド部材をカード搬送路から退避させるようにしても良い。このようにすることで、第３のガイド部材がカード搬送路から退避している状態で、即ちカード搬送路の幅が大きなサイズのカード用に設定されている状態で小さなサイズのカードを誤って取り込んでしまうのを防止することができる。つまり、カード待ち状態でカード搬送路の幅が大きなサイズのカード用に設定されていると、誤って小さなサイズのカードを挿入した場合にカードを正しく取り込むことができず、また、小さなサイズのカードが奥まで入り込んで取り出せなくなる虞がある。これに対し、カード待ち状態でカード搬送路の幅を小さなサイズのカード用に設定しておくことで、大きなサイズのカードを誤って挿入しようとしても挿入できないので、カード搬送路の幅と挿入カードとの不整合が発生することがなく、カードが取り出せなくなるような事態が生じるのを防止することができる。
【００１７】
また、請求項３記載のカード搬送機構では、第３のガイド部材がカード搬送路から退避することにより、第３のガイド部材の外形面がカード搬送路と面一となるので、退避させた第３のガイド部材をカードのガイドとして機能させることができる。このため、カード搬送路の幅が広くなった場合にその途中位置にガイドを設けることができ、いわばカード搬送路に中断がなく、カード搬送を良好に行うことができてカードジャムの発生を抑えることができる。
【００１８】
さらに、請求項４記載のカード搬送機構は、第３のガイド部材には、カードのカード停止位置となる度当たり部が形成されているものである。したがって、小さなサイズのカードが奥に入りすぎるのを防止できる。
【発明を実施するための最良の形態】
【００１９】
以下、本発明の構成を図面に示す最良の形態に基づいて詳細に説明する。
【００２０】
図１〜図６に本発明のカード搬送機構の実施形態の一例を示す。なお、本実施形態では、手動式カードリーダのカード搬送機構に適用した場合を例に説明する。ただし、手動式カードリーダ以外のカード搬送機構に適用しても良い。例えば、使用者がカード挿入口に挿入したカードをモータ等の駆動源で駆動されるローラやベルト等によって自動搬送する自動搬送機構を備えるタイプのカード搬送機構等に適用しても良い。また、取り扱うカードとして、大小２種類のカード（例えば、幅５４ｍｍ×長さ８５．６ｍｍのサイズの通常カードと、幅４０ｍｍ×長さ６６ｍｍのサイズのミニカード）を例に説明するが、取り扱うカードのサイズはこれらに限るものではない。さらに、取り扱うカードとして、磁気ストライプを有するカードを例に説明するが、その他のカード、例えばＩＣ接点を有するカード、磁気ストライプとＩＣ接点の両方を有するカード等であっても良い。
【００２１】
カード搬送機構１は、カードリーダ２のカード挿入口３より手動にてカード４を挿入・引き抜くように構成されたもので、カード４を搬送する際、カード搬送路５の幅方向一側を構成し、搬送基準面６を有する第１のガイド部材７と、カード挿入口３より挿入されたカード４が大きいサイズのカード（本実施形態では通常カード）４Ａの場合にカード搬送路５の幅方向他側を構成する第２のガイド部材８と、カード挿入口３より挿入されたカード４が小さいサイズのカード（本実施形態ではミニカード）４Ｂの場合にカード搬送路５の幅方向他側を構成する第３のガイド部材９とを備え、第３のガイド部材９はカード搬送路５に進出、および退避方向に移動可能に設けられているものである。
【００２２】
第１のガイド部材７は、通常カード４Ａとミニカード４Ｂに共通のガイドである。第２のガイド部材８は、通常カード４Ａ用のガイドである。第３のガイド部材９は、ミニカード４Ｂ用のガイドである。第１のガイド部材７と第２のガイド部材８は、通常カード４Ａの長さに対応した長さを有すると共に、通常カード４Ａの幅に対応した間隔をあけて配置されている。また、第３のガイド部材９は、ミニカード４Ｂの長さに対応した長さを有すると共に、第１のガイド部材７との間にミニカード４Ｂの幅に対応した間隔をあけて配置されている。
【００２３】
第１のガイド部材７と第２のガイド部材８は本体シャーシ１０に一体成形されている。第１のガイド部材７と第２のガイド部材８にはカード４の両側部分をガイドするガイド溝７ａ，８ａが形成されている。第１のガイド部材７のガイド溝７ａの底面が、カード搬送路５の搬送基準面６となっている。第１のガイド部材７の途中には磁気ヘッド１１が設けられている。カード４をカード挿入口３から挿入して搬送基準面６に沿って移動させると、カード４の磁気ストライプ４ｍが磁気ヘッド１１に対して摺動し、磁気データの処理が行われる。
【００２４】
第２のガイド部材８の途中には一対の突片１２，１２が一体成形されており、各突片１２間には揺動レバー１３が配置されている。揺動レバー１３は、その中央部分をシャフト１４によって各突片１２に対して揺動自在に取り付けられている。揺動レバー１３の二股状の一端１３ａは、本体シャーシ１０に固定されたソレノイド１５の出力軸１５ａに連結されている。二股状の一端１３ａには長孔１６が形成されており、出力軸１５ａを貫通する連結軸１７の両端を長孔１６に挿入することで、出力軸１５ａと揺動レバー１３との連結点の相対変位を可能にし、出力軸１５ａが軸方向に真っ直ぐに進退しても揺動レバー１３の揺動を可能にしている。ソレノイド１５と揺動レバー１３の間にはリターンスプリング１８が設けらており、揺動レバー１３を押す方向に常時付勢している。
【００２５】
ソレノイド１５は、例えばカードリーダ２のベゼル１９の前面に設けられた図示しない通常カード選択ボタンが押し込み操作されるとオン（励磁）される。
【００２６】
揺動レバー１３の他端１３ｂには、第３のガイド部材９が設けられている。本実施形態では、揺動レバー１３と第３のガイド部材９とは一体成形されている。第３のガイド部材９にはカード４の一側部分をガイドするガイド溝９ａが形成されている。揺動レバー１３を揺動させることで、第３のガイド部材９をカード搬送路５に進出・退避させることができる。
【００２７】
第３のガイド部材９の外形面は、退避状態でカード搬送路５と面一になるように形成されている。ここで、外形面とは、第３のガイド部材９の外形をなす外形面のうち、カード搬送路５側の外形面をいう。本実施形態では、外形面はカード搬送路５側の端面９ｂである。つまり、第３のガイド部材９の端面９ｂ、即ち退避状態でカード搬送路５に臨む面は、退避位置（図１の２点鎖線位置）ではカード搬送路５と面一となるように斜めに形成されている。このように構成することで、退避させた第３のガイド部材９を通常カード４Ａのガイドとして機能させることができる。即ち、カード搬送路５の幅が広くなった場合にその途中位置にガイドを設けることができ、カード搬送が良好になり、カードジャムの発生を抑えることができる。
【００２８】
また、第３のガイド部材９の奥側端には、ミニカード４Ｂの停止位置となる度当たり部９ｃが一体成形されている。したがって、ミニカード４Ｂが奥に入りすぎるのを防止できる。なお、通常カード４Ａについては本体シャーシ１０のカード搬送路５の奥の部分が度当たり部１０ａとなっている。
【００２９】
次に、カード搬送機構１の動作について説明する。
【００３０】
カード４の挿入待ちの状態では、ソレノイド１５はオフ状態になっている。オフ状態では、出力軸１５ａを縮退させる力は発揮されておらず、リターンスプリング１８の付勢力によって揺動レバー１３は図１に実線で示す位置に位置決めされている。したがって、第３のガイド部材９はカード搬送路５に進出している（図１の実線位置，図５）。これにより、カード搬送路５の幅がＷ１となる。
【００３１】
この状態で、カードリーダ２のユーザがカード挿入口３にミニカード４Ｂを挿入すると、ミニカード４Ｂは第１のガイド部材７のガイド溝７ａと第３のガイド部材９のガイド溝９ａに案内される。したがって、ユーザがミニカード４Ｂを奥に押し進めると、ミニカード４Ｂの磁気ストライプ４ｍが磁気ヘッド１１に対して摺動しデータ処理が行われる。そして、挿入されたミニカード４Ｂは度当たり部９ｃに当たり停止する。このため、ミニカード４Ｂが通常カード４Ａと同じように奥に入り、取り出せなくなることを防止できる。その後、ユーザがミニカード４Ｂを引き抜くことで、処理が終了する。
【００３２】
一方、通常カード４Ａを使用する場合には、通常カード選択ボタンをオン操作した後、通常カード４Ａをカード挿入口３に挿入する。通常カード選択ボタンがオン操作されると、ソレノイド１５が励磁され、リターンスプリング１８の付勢力に抗して出力軸１５ａが縮退する。したがって、揺動レバー１３が図１に２点鎖線で示す位置に揺動され、第３のガイド部材９をカード搬送路５から退避させる（図１の２点鎖線位置，図６）。これにより、カード搬送路５の幅がＷ２となり、カード挿入口３に挿入された通常カード４Ａは第１のガイド部材７と第２のガイド部材８に案内される。したがって、ユーザが通常カード４Ａを奥に押し進めると、通常カード４Ａの磁気ストライプ４ｍが磁気ヘッド１１に対して摺動しデータ処理が行われる。そして、本体シャーシ１０の度当たり部１０ａに当たり停止する。その後、ユーザが通常カード４Ａを引き抜くことで、処理が終了する。カード４の引き抜きによってソレノイド１５がオフとなり、リターンスプリング１８の付勢力によって揺動レバー１３が図１の実線位置に戻され、第３のガイド部材９をカード搬送路５に進入させてカード待ち状態となる。
【００３３】
このように、カード搬送機構１では、１台で大小２種のサイズのカード４ａ，４ｂを処理することができる。
【００３４】
また、第３のガイド部材９の駆動源としてソレノイド１５とリターンスプリング１８を使用しているので、第３のガイド部材９を瞬時に進出・退避させることができ、カード搬送路５の幅の切り換えを素早く行うことができる。
【００３５】
このカード搬送機構１では、カード待ちの状態で第３のガイド部材９をカード搬送路５に進出させており、通常カード選択ボタンを操作した場合にのみ第３のガイド部材９をカード搬送路５から退避させるようにしているので、第３のガイド部材９がカード搬送路５から退避している状態で、即ちカード搬送路５の幅が通常カード４Ａ用の幅Ｗ２となっている状態でミニカード４Ｂを誤って取り込んでしまうのを防止できる。つまり、カード待ち状態でカード搬送路５の幅が通常カード４Ａ用のＷ２に設定されていると、誤ってミニカード４Ｂを挿入することが可能となる。そして、誤ってミニカード４Ｂを挿入してしまうと、ミニカード４Ｂを正しく取り込こんで処理することができず、また、ミニカード４Ｂが奥まで入り込んで取り出せなくなる虞がある。これに対し、カード待ち状態でカード搬送路５の幅をミニカード４Ｂ用のＷ１に設定しておくことで、ミニカード４Ｂを挿入した場合には正しく処理を行うことができる一方、仮に通常カード選択ボタンをオン操作せずに通常カード４Ａを誤って挿入しようとしても第３のガイド部材９に当たって挿入できないので、違うサイズのカード４を取り込むことを防止することができる。即ち、カード搬送路５の幅と挿入カード４との不整合が発生することがなく、カード４が取り出せなくなるような事態が生じるのを防止することができる。
【００３６】
また、通常カード４Ａとミニカード４Ｂのいずれを搬送する場合であっても、搬送基準面６を基準に搬送できるので、通常カード４Ａの磁気ストライプ４ｍが通過する位置とミニカード４Ｂの磁気ストライプ４ｍが通過する位置とを揃えることができ、同じ磁気ヘッド１１を使用してデータ処理を行うことができる。
【００３７】
なお、上述の形態は本発明の好適な形態の一例ではあるがこれに限定されるものではなく本発明の要旨を逸脱しない範囲において種々変形実施可能である。
【００３８】
例えば、上述の説明では、ユーザが度当たり部９ｃ，１０ａに当たるまでカード４を挿入し、引き抜くことでカード搬送路５を搬送させる手動式のカード搬送機構１を例にしていたが、手動式のカード搬送機構１に限るものではない。即ち、カードリーダ全般に適用でき、カード挿入口３より挿入されたカード４を搬送するカード搬送路５と、カード搬送路５の幅方向一側を構成し、搬送基準面６を有する第１のガイド部材７と、カード挿入口３より挿入されたカード４が大きいサイズのカード４Ａの場合にカード搬送路５の幅方向他側を構成する第２のガイド部材８と、カード挿入口３より挿入されたカード４が小さいサイズのカード４Ｂの場合にカード搬送路５の幅方向他側を構成する第３のガイド部材９とを備え、第３のガイド部材９はカード搬送路５に進出、および退避方向に移動可能に設けられているカード搬送機構１であれば良い。
【００３９】
また、上述の説明では、第３のガイド部材９を揺動レバー１３によって支持し、シャフト１４を中心に円弧状に移動させることで、カード搬送路５に対して進出・退避させるようにしていたが、必ずしも第３のガイド部材９を円弧状に移動させてカード搬送路５に対して進出・退避させる必要はなく、例えばリンク機構等を使用して第３のガイド部材９を直線移動させることでカード搬送路５に対して進出・退避させるようにしても良い。
【００４０】
また、上述の説明では、第３のガイド部材９を移動させる駆動源としてソレノイド１５を使用していたが、駆動源はソレノイド１５に限るものではなく、モータやその他の駆動源を使用しても良い。
【００４１】
また、第３のガイド部材９を移動させる駆動源を省略し、手動によって移動させるようにしても良い。例えば、カードリーダ２のベゼル１９の前面に、第３のガイド部材９に直接的又は間接的に連結されたレバーを設けておき、このレバーを操作することで第３のガイド部材９を移動させるようにしても良い。
【００４２】
また、上述の説明では、ユーザが通常カード選択ボタンを操作することで、通常カード４Ａを使用する場合に第３のガイド部材９を移動させるようにしていたが、通常カード４Ａの挿入を検知するセンサ類を設けておき、通常カード４Ａの挿入を検知して自動的に第３のガイド部材９を移動させるようにしても良い。このようにすることで、ユーザに使用するカード４が通常カード４Ａであるかミニカード４Ｂであるかを意識させることなく、両方のカード４Ａ，４Ｂの処理が可能になる。ここで、通常カード４Ａを検出する手段としては、例えばカード幅の違いから通常カード４Ａを検出するものが考えられる。例えば、第２のガイド部材８の先端部分（図３に楕円Ａで示す部分）をその先端がカード幅方向に揺動する検知レバーとし、カード４が挿入されていない状態では検知レバーの先端が第３のガイド部材９側に揺動しており、通常カード４Ａが挿入されると通常カード４Ａによって検知レバーの先端が第３のガイド部材９から離れる方向に揺動され、これによりソレノイド１５が励磁されるように構成することが考えられる。
【図面の簡単な説明】
【００４３】
【図１】本発明のカード搬送機構の実施形態の一例を示し、その概略構成を示す正面図である。
【図２】同カード搬送機構の要部概略構成を示す平面図である。
【図３】同カード搬送機構をソレノイド側からみた斜視図である。
【図４】同カード搬送機構をソレノイド側とは反対側からみた斜視図である。
【図５】同カード搬送機構の第３のガイド部材を進出させた状態の正面図である。
【図６】同カード搬送機構の第３のガイド部材を退避させた状態の正面図である。
【図７】従来の手動式カードリーダの概略構成図である。
【符号の説明】
【００４４】
１  カード搬送機構
３  カード挿入口
４  カード
４Ａ  通常カード（大きいサイズのカード）
４Ｂ  ミニカード（小さいサイズのカード）
５  カード搬送路
６  搬送基準面
７  第１のガイド部材
８  第２のガイド部材
９  第３のガイド部材
９ｂ  端面（第３のガイド部材の外形面）
９ｃ  度当たり部
【図１】
2006252195.tif 000003
【図２】
2006252195.tif 000004
【図７】
2006252195.tif 000005
【図３】
2006252195.tif 000006
【図４】
2006252195.tif 000007
【図５】
2006252195.tif 000008
【図６】
2006252195.tif 000009